【手続補正書】
【提出日】平成19年4月16日(2007.4.16)
【手続補正１】
【補正対象書類名】明細書
【補正対象項目名】特許請求の範囲
【補正方法】変更
【補正の内容】
【特許請求の範囲】
【請求項１】  線虫を用いた潜在的な薬理学的活性を有する化学物質の同定法であって、前記方法は、
（ａ）実質的に同数の線虫をマルチウェルアッセイプレートの各ウェルに分配する工程と、
（ｂ）前記線虫と化学物質の試料とを接触させる工程と、
（ｃ）非視覚的検出手段を用いて前記線虫の咽頭ポンピング速度の変化を検出する工程とを包含する、方法。
【請求項２】  線虫を用いた化学物質の作用様式の決定法であって、前記方法は、
（ａ）実質的に同数の異なる変異、トランスジェニック、またはヒト化線虫のパネルをマルチウェルアッセイプレートの各ウェルに分配する工程と、
（ｂ）前記線虫と前記化学物質とを接触させる工程と、
（ｃ）非視覚的検出手段を用いて前記線虫の咽頭ポンピング速度の変化を検出する工程とを包含する、方法。
【請求項３】  線虫を用いた潜在的な薬理学的活性を有する化学物質の同定法であって、前記方法は、
（ａ）実質的に同数の線虫をマルチウェルアッセイプレートの各ウェルに分配する工程と、
（ｂ）前記線虫と化学物質とを接触させる工程と、
（ｃ）非視覚的検出手段を用いて前記線虫の表現型の変化、生理学的変化、挙動の変化、または生化学的変化を示すシグナルを検出する工程とを包含する、方法。
【請求項４】  線虫を用いた化学物質の作用様式の決定法であって、前記方法は、
（ａ）実質的に同数の異なる変異線虫のパネルをマルチウェルアッセイプレートの各ウェルに分配する工程と、
（ｂ）前記線虫と前記化学物質とを接触させる工程と、
（ｃ）非視覚的検出手段を用いて前記線虫の表現型の変化、生理学的変化、挙動の変化、または生化学的変化を示すシグナルを検出する工程とを包含する、方法。
【請求項５】  線虫に対して定義された効果を有する化合物が作用する生化学的経路の成分をさらに同定する方法であって、前記方法は、
（ａ）線虫集団をランダム変異誘発に供する工程と、
（ｂ）１つの変異誘発Ｆ１線虫をマルチウェルアッセイプレートの各ウェルに分配する工程と、
（ｃ）Ｆ１線虫にＦ２子孫を産生させる工程と、
（ｄ）前記線虫と前記化合物とを接触させる工程と、
（ｅ）非視覚的検出手段を用いて前記線虫の表現型の変化、生理学的変化、挙動の変化、または生化学的変化を示すシグナルを検出する工程とを包含する、方法。
【請求項６】  化合物が線虫に対する定義された効果を有する、第１の化合物の効果を調整する化学物質の同定法であって、前記方法は、
（ａ）実質的に同数の線虫をマルチウェルアッセイプレートの各ウェルに分配する工程と、
（ｂ）前記線虫と前記第１の化合物とを接触させる工程と、
（ｃ）前記線虫とさらなる化学物質とを接触させる工程と、
（ｄ）非視覚的検出手段を用いて前記線虫の表現型の変化、生理学的変化、挙動の変化、または生化学的変化を示すシグナルを検出する工程とを包含する、方法。
【請求項７】  線虫に対して定義された効果を有する化合物が作用する生化学的経路の成分をさらに同定する方法であって、前記方法は、
（ａ）線虫集団をランダム変異誘発に供する工程と、
（ｂ）１つの変異誘発Ｆ１線虫をマルチウェルアッセイプレートの各ウェルに分配する工程と、
（ｃ）Ｆ１線虫にＦ２子孫を産生させる工程と、
（ｄ）前記線虫と前記化合物とを接触させる工程と、
（ｅ）非視覚的検出手段を用いて前記線虫の咽頭ポンピング速度の変化を検出する工程とを包含する、方法。
【請求項８】  化合物が線虫に対する定義された効果を有する、第１の化合物の効果を調整する化学物質の同定法であって、前記方法は、
（ａ）実質的に同数の線虫をマルチウェルアッセイプレートの各ウェルに分配する工程と、
（ｂ）前記線虫と前記第１の化合物とを接触させる工程と、
（ｃ）前記線虫とさらなる化学物質とを接触させる工程と、
（ｄ）非視覚的検出手段を用いて前記線虫の咽頭ポンピング速度の変化を検出する工程とを包含する、方法。
【請求項９】  線虫を用いた潜在的な薬理学的活性を有する化学物質の同定法であって、前記方法は、
（ａ）実質的に同数の線虫をマルチウェルアッセイプレートの各ウェルに分配する工程と、
（ｂ）前記線虫と化学物質のサンプルとを接触させる工程と、
（ｃ）非視覚的検出手段を用いて前記線虫細胞における細胞間の鉄、代謝産物、または二次メッセンジャーレベルの変化を検出する工程とを包含する、方法。
【請求項１０】  線虫を用いた潜在的な薬理学的活性を有する化学物質の同定法であって、前記方法は、
（ａ）実質的に同数の線虫をマルチウェルアッセイプレートの各ウェルに分配する工程と、
（ｂ）前記線虫と化学物質のサンプルとを接触させる工程と、
（ｃ）非視覚的検出手段を用いて前記線虫の運動性の変化を検出する工程とを包含する、方法。
【請求項１１】  線虫を用いた化学物質の作用様式の決定法であって、前記方法は、
（ａ）実質的に同数の異なる変異、トランスジェニック、またはヒト化線虫のパネルをマルチウェルアッセイプレートの各ウェルに分配する工程と、
（ｂ）前記線虫と前記化学物質とを接触させる工程と、
（ｃ）非視覚的検出手段を用いて前記線虫の運動性の変化を検出する工程とを包含する、方法。
【請求項１２】  線虫に対して定義された効果を有する化合物が作用する生化学的経路の成分をさらに同定する方法であって、前記方法は、
（ａ）線虫集団をランダム変異誘発に供する工程と、
（ｂ）１つの変異誘発Ｆ１線虫をマルチウェルアッセイプレートの各ウェルに分配する工程と、
（ｃ）Ｆ１線虫にＦ２子孫を産生させる工程と、
（ｄ）前記線虫と前記化合物とを接触させる工程と、
（ｅ）非視覚的検出手段を用いて前記線虫の運動性の変化を検出する工程とを包含する、方法。
【請求項１３】  化合物が線虫に対する定義された効果を有する、第１の化合物の効果を調整する化学物質の同定法であって、前記方法は、
（ａ）実質的に同数の線虫をマルチウェルアッセイプレートの各ウェルに分配する工程と、
（ｂ）前記線虫と前記第１の化合物とを接触させる工程と、
（ｃ）前記線虫とさらなる化学物質とを接触させる工程と、
（ｄ）非視覚的検出手段を用いて前記線虫の運動性の変化を検出する工程とを包含する、方法。
【請求項１４】  線虫を用いた潜在的な薬理学的活性を有する化学物質の同定法であって、前記方法は、
（ａ）実質的に同数の雌雄同体線虫をマルチウェルアッセイプレートの各ウェルに分配する工程と、
（ｂ）実質的に同数の雄線虫をマルチウェルアッセイプレートの各ウェルに分配する工程と、
（ｃ）前記線虫と化学物質のサンプルとを接触させる工程と、
（ｄ）非視覚的検出手段を用いて前記線虫の卵または子孫の産生量を検出する工程とを包含する、方法。
【請求項１５】  線虫を用いた化学物質の作用様式の決定法であって、前記方法は、
（ａ）実質的に同数の雌雄同体線虫をマルチウェルアッセイプレートの各ウェルに分配する工程と、
（ｂ）実質的に同数の雄線虫をマルチウェルアッセイプレートの各ウェルに分配する工程であって、前記雄線虫は、異なる変異、トランスジェニック、またはヒト化線虫のパネルを形成し、
（ｃ）前記線虫と化学物質とを接触させる工程と、
（ｄ）非視覚的検出手段を用いて前記線虫の卵または子孫の産生量を検出する工程とを包含する、方法。
【請求項１６】  化合物が線虫に対する定義された効果を有する、第１の化合物の効果を調整する化学物質の同定法であって、前記方法は、
（ａ）実質的に同数の雌雄同体線虫をマルチウェルアッセイプレートの各ウェルに分配する工程と、
（ｂ）実質的に同数の雄線虫をマルチウェルアッセイプレートの各ウェルに分配する工程と、
（ｃ）前記線虫と第１の化学物質とを接触させる工程と、
（ｄ）前記線虫とさらなる化学物質とを接触させる工程と、
（ｅ）非視覚的検出手段を用いて前記線虫の卵または子孫の産生量を検出する工程とを包含する、方法。
【請求項１７】  線虫を用いた潜在的な薬理学的活性を有する化学物質の同定法であって、前記方法は、
（ａ）実質的に同数の雌雄同体線虫をマルチウェルアッセイプレートの各ウェルに分配する工程と、
（ｂ）前記線虫と化学物質のサンプルとを接触させる工程と、
（ｃ）非視覚的検出手段を用いて前記線虫の卵または子孫の産生量を検出する工程とを包含する、方法。
【請求項１８】  線虫を用いた化学物質の作用様式の決定法であって、前記方法は、
（ａ）実質的に同数の異なる変異、トランスジェニック、またはヒト化雌雄同体線虫のパネルをマルチウェルアッセイプレートの各ウェルに分配する工程と、
（ｂ）前記線虫と前記化学物質とを接触させる工程と、
（ｃ）非視覚的検出手段を用いて前記線虫の卵または子孫の産生量を検出する工程とを包含する、方法。
【請求項１９】  線虫に対して定義された効果を有する化合物が作用する生化学的経路の成分をさらに同定する方法であって、前記方法は、
（ａ）線虫集団をランダム変異誘発に供する工程と、
（ｂ）１つの変異誘発Ｆ１線虫をマルチウェルアッセイプレートの各ウェルに分配する工程と、
（ｃ）Ｆ１線虫にＦ２子孫を産生させる工程と、
（ｄ）前記線虫と前記化合物とを接触させる工程と、
（ｅ）非視覚的検出手段を用いて前記線虫の卵または子孫の産生量を検出する工程とを包含する、方法。
【請求項２０】  化合物が線虫に対する定義された効果を有する、第１の化合物の効果を調整する化学物質の同定法であって、前記方法は、
（ａ）実質的に同数の雌雄同体線虫をマルチウェルアッセイプレートの各ウェルに分配する工程と、
（ｂ）前記線虫と前記第１の化合物とを接触させる工程と、
（ｃ）前記線虫とさらなる化学物質とを接触させる工程と、
（ｄ）非視覚的検出手段を用いて前記線虫の卵または子孫の産生量を検出する工程とを包含する、方法。
【請求項２１】  線虫を用いた潜在的な薬理学的活性を有する化学物質の同定法であって、前記方法は、
（ａ）実質的に同数の雌雄同体線虫をマルチウェルアッセイプレートの各ウェルに分配する工程と、
（ｂ）前記線虫と化学物質のサンプルとを接触させる工程と、
（ｃ）非視覚的検出手段を用いて前記線虫の排泄挙動の変化を検出する工程とを包含する、方法。
【請求項２２】  線虫を用いた化学物質の作用様式の決定法であって、前記方法は、
（ａ）実質的に同数の異なる変異、トランスジェニック、またはヒト化線虫のパネルをマルチウェルアッセイプレートの各ウェルに分配する工程と、
（ｂ）前記線虫と前記化学物質とを接触させる工程と、
（ｃ）非視覚的検出手段を用いて前記線虫の排泄挙動の変化を検出する工程とを包含する、方法。
【請求項２３】  線虫に対して定義された効果を有する化合物が作用する生化学的経路の成分をさらに同定する方法であって、前記方法は、
（ａ）線虫集団をランダム変異誘発に供する工程と、
（ｂ）１つの変異誘発Ｆ１線虫をマルチウェルアッセイプレートの各ウェルに分配する工程と、
（ｃ）Ｆ１線虫にＦ２子孫を産生させる工程と、
（ｄ）前記線虫と前記化合物とを接触させる工程と、
（ｅ）非視覚的検出手段を用いて前記線虫の排泄挙動の変化を検出する工程とを包含する、方法。
【請求項２４】  化合物が線虫に対する定義された効果を有する、第１の化合物の効果を調整する化学物質の同定法であって、前記方法は、
（ａ）実質的に同数の線虫をマルチウェルアッセイプレートの各ウェルに分配する工程と、
（ｂ）前記線虫と前記第１の化合物とを接触させる工程と、
（ｃ）前記線虫とさらなる化学物質とを接触させる工程と、
（ｄ）非視覚的検出手段を用いて前記線虫の排泄挙動の変化を検出する工程とを包含する、方法。
【請求項２５】  前記線虫が微視的線虫である、請求項１〜請求項２４のいずれか１項に記載の方法。
【請求項２６】  前記線虫がＣ．ｅｌｅｇａｎｓまたはＣ．ｂｒｉｇｇｓａｅである、請求項１〜請求項２５のいずれか１項に記載の方法。
【請求項２７】  前記シグナル検出工程がマーカー分子の測定可能な性質の変化を検出する工程を包含し、前記マーカー分子の性質の変化が前記線虫の表現型の変化、生理学的変化、挙動の変化、または生化学的変化を示す、請求項１〜請求項２６のいずれか１項に記載の方法。
【請求項２８】  前記マーカー分子が、蛍光分子、発光分子、または有色分子である、請求項２７に記載の方法。
【請求項２９】  前記マーカー分子が、蛍光分子の前駆体、発光分子の前駆体、または有色分子の前駆体である、請求項２７に記載の方法。
【請求項３０】  前記マーカー分子がＣ．ｅｌｅｇａｎｓの腸に存在する酵素の作用によって切断されて、蛍光分子、発光分子、または有色分子を得ることができる、請求項２９に記載の方法。
【請求項３１】  前記マーカー分子が遺伝子コードマーカー分子である、請求項２７に記載の方法。
【請求項３２】  前記線虫が前記遺伝子コードマーカー分子を発現するトランスジェニック線虫である、請求項３１に記載の方法。
【請求項３３】  前記遺伝子コードマーカー分子が、自己蛍光タンパク質、アルカリホスファターゼ、ルシフェラーゼ、βグルクロニダーゼ、βラクタマーゼ、βガラクトシダーゼ、アセトヒドロキシ酸シンターゼ、クロラムフェニコールアセチルトランスフェラーゼ、西洋ワサビペルオキシダーゼ、ノパリンシンターゼ、オクタピンシンターゼ、またはエクオリンである、請求項３１または請求項３２のいずれか１項に記載の方法。
【請求項３４】  前記非視覚的検出手段がマルチウェルプレートリーダーである、請求項１〜請求項３３のいずれか１項に記載の方法。
【請求項３５】  前記マルチウェルプレートリーダーが、発光、蛍光、または分光光度検出を行う、請求項３４に記載の方法。
【請求項３６】  前記非視覚的検出手段がＦＡＮＳデバイスである、請求項１〜請求項３３のいずれか１項に記載の方法。
【請求項３７】  前記シグナル検出工程が、ＦＡＮＳデバイスを用いた線虫のサイズおよび／または発達期の検出を包含する、請求項１〜請求項３３のいずれか１項に記載の方法。
【請求項３８】  卵、Ｌ１期、Ｌ２期、Ｌ３期、Ｌ４期、成虫蠕虫、および耐性蠕虫の検出を包含する、請求項３７に記載の方法。
【請求項３９】  前記方法が培地の粘度を増大させるのに十分な濃度の水溶性ポリマーを含む液体アッセイ培地中で行われる、請求項１〜請求項３８のいずれか１項に記載の方法。
【請求項４０】  前記水溶性ポリマーがカルボキシメチルセルロース、低融点アガロース、またはポリエチレングリコールである、請求項３９に記載の方法。
【請求項４１】  前記水溶性ポリマーが培地粘性カルボキシメチルセルロースである、請求項４０に記載の方法。
【請求項４２】  前記液体培地中の水溶性ポリマー濃度が０．３％である、請求項３９〜請求項４１のいずれか１項に記載の方法。
【請求項４３】  前記方法が、線虫のマルチウェルプレートのウェルへの固着を回避するのに十分な濃度の水溶性ポリマーを含む液体アッセイ培地で行われる、請求項１〜請求項３８のいずれか１項に記載の方法。
【請求項４４】  前記水溶性ポリマーが、ポリエチレングリコール、ポリビニルアルコール、またはポリビニルピロリドンである、請求項４３に記載の方法。
【請求項４５】  前記液体培地中の水溶性ポリマー濃度が０．０１％〜１０％である、請求項４３または請求項４４のいずれか１項に記載の方法。
【請求項４６】  前記液体培地中の水溶性ポリマーの濃度が０．１％である、請求項４５に記載の方法。